【手続補正書】
【提出日】平成22年4月19日(2010.4.19)
【手続補正１】
【補正対象書類名】特許請求の範囲
【補正対象項目名】全文
【補正方法】変更
【補正の内容】
【特許請求の範囲】
【請求項１】
一または複数のネットワーク機器が接続され、当該ネットワーク機器のＩＰ網を介した通信を中継するとともに、当該ネットワーク機器からの要求に応じて予め準備したＩＰアドレスを動的に付与するＩＰ通信装置であって、
自己のＩＰアドレスを設定するアドレス設定手段と、
前記ネットワーク機器に対する問い合わせ結果に基づき、前記自己のＩＰアドレスが前記ネットワーク機器のＩＰアドレスと重複するか否かを判定するアドレス重複判定手段とを備え、
前記アドレス設定手段は、前記自己のＩＰアドレスが前記ネットワーク機器のＩＰアドレスと重複する場合、前記自己のＩＰアドレスを前記予め準備したＩＰアドレスの範囲外から選択したＩＰアドレスに変更することを特徴とするＩＰ通信装置。
【請求項２】
前記アドレス設定手段は、前記変更したＩＰアドレスが前記ネットワーク機器のＩＰアドレスと重複する場合、前記変更したＩＰアドレスを、その属するアドレス空間内から選択した別のＩＰアドレスに更に変更し、一方、当該アドレス空間内の全てのＩＰアドレスが選択済みのときは異なるアドレス空間内から選択したＩＰアドレスに更に変更することを特徴とする請求項１に記載のＩＰ通信装置。
【請求項３】
一または複数のネットワーク機器が接続され、当該ネットワーク機器のＩＰ網を介した通信を中継するとともに、当該ネットワーク機器からの要求に応じて予め準備したＩＰアドレスを動的に付与するＩＰ通信装置のＩＰアドレス設定方法であって、
前記ＩＰ通信装置のＩＰアドレスを設定するアドレス設定ステップと、
前記ネットワーク機器に対する問い合わせ結果に基づき、前記ＩＰ通信装置のＩＰアドレスが前記ネットワーク機器のＩＰアドレスと重複するか否かを判定するアドレス重複判定ステップと
を有し、
前記アドレス設定ステップは、前記ＩＰ通信装置のＩＰアドレスが前記ネットワーク機器のＩＰアドレスと重複する場合、前記ＩＰ通信装置のＩＰアドレスを前記予め準備したＩＰアドレスの範囲外から選択したＩＰアドレスに変更するステップを含むことを特徴とするＩＰ通信装置のＩＰアドレス設定方法。
【請求項４】
前記アドレス設定ステップは、前記変更したＩＰアドレスが前記ネットワーク機器のＩＰアドレスと重複する場合、前記変更したＩＰアドレスを、その属するアドレス空間内から選択した別のＩＰアドレスに更に変更し、一方、当該アドレス空間内の全てのＩＰアドレスが選択済みのときは異なるアドレス空間内から選択したＩＰアドレスに更に変更するステップを含むことを特徴とする請求項３に記載のＩＰ通信装置のＩＰアドレス設定方法。
【請求項５】
一または複数のネットワーク機器と、
前記ネットワーク機器のＩＰ網を介した通信を中継するとともに、当該ネットワーク機器からの要求に応じて予め準備したＩＰアドレスを動的に付与するＩＰ通信装置と
を有するＩＰ通信システムであって、
前記ＩＰ通信装置は、
自己のＩＰアドレスを設定するアドレス設定手段と、
前記ネットワーク機器に対する問い合わせ結果に基づき、前記自己のＩＰアドレスが前記ネットワーク機器のＩＰアドレスと重複するか否かを判定するアドレス重複判定手段とを備え、
前記ネットワーク機器は、自己のＩＰアドレスと前記ＩＰ通信装置のＩＰアドレスが重複する場合にのみ、前記ＩＰ通信装置からの問い合わせに応答する応答手段を備え、
前記アドレス設定手段は、前記ＩＰ通信装置のＩＰアドレスが前記ネットワーク機器のＩＰアドレスと重複する場合、前記ＩＰ通信装置のＩＰアドレスを前記予め準備したＩＰアドレスの範囲外から選択したＩＰアドレスに変更することを特徴とするＩＰ通信システ
ム。
【請求項６】
一または複数のネットワーク機器が接続され、当該ネットワーク機器の通信を中継するとともに、当該ネットワーク機器からの要求に応じて予め準備したＩＰアドレスを動的に付与するＩＰ通信装置であって、
自己のＬＡＮ側のＩＰアドレスを設定するアドレス設定手段と、
自己のＷＡＮ側のＩＰアドレスを所定のＤＨＣＰサーバから取得するアドレス取得手段と、
前記ＬＡＮ側のＩＰアドレスが属するアドレス空間が前記ＷＡＮ側のＩＰアドレスが属するアドレス空間と重複するか否かを判定するアドレス重複判定手段と
を備え、
前記アドレス設定手段は、前記ＬＡＮ側のＩＰアドレスが属するアドレス空間が前記ＷＡＮ側のＩＰアドレスが属するアドレス空間と重複する場合、前記ＬＡＮ側のＩＰアドレスをその属するアドレス空間とは異なるアドレス空間内から選択したＩＰアドレスに変更することを特徴とするＩＰ通信装置。
【請求項７】
一または複数のネットワーク機器が接続され、当該ネットワーク機器の通信を中継するとともに、当該ネットワーク機器からの要求に応じて予め準備したＩＰアドレスを動的に付与するＩＰ通信装置のＩＰアドレス設定方法であって、
自己のＬＡＮ側のＩＰアドレスを設定するアドレス設定ステップと、
自己のＷＡＮ側のＩＰアドレスを所定のＤＨＣＰサーバから取得するアドレス取得ステップと、
前記ＬＡＮ側のＩＰアドレスが属するアドレス空間が前記ＷＡＮ側のＩＰアドレスが属するアドレス空間と重複するか否かを判定するアドレス重複判定ステップと
を有し、
前記アドレス設定ステップは、前記ＬＡＮ側のＩＰアドレスが属するアドレス空間が前記ＷＡＮ側のＩＰアドレスが属するアドレス空間と重複する場合、前記ＬＡＮ側のＩＰアドレスをその属するアドレス空間とは異なるアドレス空間内から選択したＩＰアドレスに変更するステップを含むことを特徴とするＩＰ通信装置のＩＰアドレス設定方法。
【手続補正２】
【補正対象書類名】明細書
【補正対象項目名】００１３
【補正方法】変更
【補正の内容】
【００１３】
上記課題を解決するためになされた第２の発明は、前記アドレス設定手段は、前記変更したＩＰアドレスが前記ネットワーク機器のＩＰアドレスと重複する場合、前記変更したＩＰアドレスを、その属するアドレス空間内から選択した別のＩＰアドレスに更に変更し、一方、当該アドレス空間内の全てのＩＰアドレスが選択済みのときは異なるアドレス空間内から選択したＩＰアドレスに更に変更する構成とすることができる。
【手続補正３】
【補正対象書類名】明細書
【補正対象項目名】００１６
【補正方法】変更
【補正の内容】
【００１６】
上記課題を解決するためになされた第４の発明は、前記アドレス設定ステップは、前記変更したＩＰアドレスが前記ネットワーク機器のＩＰアドレスと重複する場合、前記変更したＩＰアドレスを、その属するアドレス空間内から選択した別のＩＰアドレスに更に変更し、一方、当該アドレス空間内の全てのＩＰアドレスが選択済みのときは異なるアドレス空間内から選択したＩＰアドレスに更に変更するステップを含む構成とすることができる。
【手続補正４】
【補正対象書類名】明細書
【補正対象項目名】００２０
【補正方法】変更
【補正の内容】
【００２０】
アドレス空間の重複が生じた場合には、ＬＡＮ側のＩＰアドレス（即ち、他のネットワーク機器の接続）よりもＷＡＮ側のＩＰアドレス（即ち、ＩＰ通信装置自体の接続）が優先されるので、例えば、ＩＰ電話装置において通話可能な状態を安定的に維持する必要がある場合などに特に有効である。
上記課題を解決するためになされた第７の発明は、一または複数のネットワーク機器が接続され、当該ネットワーク機器の通信を中継するとともに、当該ネットワーク機器からの要求に応じて予め準備したＩＰアドレスを動的に付与するＩＰ通信装置のＩＰアドレス設定方法であって、自己のＬＡＮ側のＩＰアドレスを設定するアドレス設定ステップと、自己のＷＡＮ側のＩＰアドレスを所定のＤＨＣＰサーバから取得するアドレス取得ステップと、前記ＬＡＮ側のＩＰアドレスが属するアドレス空間が前記ＷＡＮ側のＩＰアドレスが属するアドレス空間と重複するか否かを判定するアドレス重複判定ステップとを有し、前記アドレス設定ステップは、前記ＬＡＮ側のＩＰアドレスが属するアドレス空間が前記ＷＡＮ側のＩＰアドレスが属するアドレス空間と重複する場合、前記ＬＡＮ側のＩＰアドレスをその属するアドレス空間とは異なるアドレス空間内から選択したＩＰアドレスに変更するステップを含む構成とする。